(57)【特許請求の範囲】
【請求項１】
シート（３００）に対して予め取り付け及び固定されたハトメ穴（３１１）を有するハトメ（３１０）に対して弾性変形により取付可能である止め具（１００）であって、
前記ハトメ穴（３１１）の開口幅に対応した幅を有し、前記ハトメ穴（３１１）の深さ方向に延在する胴部（３０）と、
前記胴部（３０）の一端側に設けられ、前記胴部（３０）よりも幅が広い部分を含む頭部（４０）と、
前記胴部（３０）の他端側に設けられ、前記胴部（３０）よりも幅が広い部分を含む脚部（２０）であって、前記ハトメ穴（３１１）に対して挿入されて前記ハトメ穴（３１１）を通過可能である脚部（２０）と、
前記頭部（４０）、前記胴部（３０）及び前記脚部（２０）を前記深さ方向に貫通する貫通口（ＯＰ１０）と、
前記貫通口（ＯＰ１０）の内側面（１０ａ）の内側へ突出する１以上の突状部（５０）を備え、
前記ハトメ（３１０）の前記ハトメ穴（３１１）への前記脚部（２０）の挿入及び通過を介して前記ハトメ（３１０）に対して装着され、前記シート（３００）に対して予め取り付け及び固定された前記ハトメ（３１０）が前記頭部（４０）と前記脚部（２０）の間で挟まれ、
前記脚部（２０）の前記幅は、前記頭部（４０）の前記幅よりも狭く、
前記脚部（２０）の前記幅は、前記胴部（３０）から当該脚部（２０）が離間するに応じて狭くなり、
前記脚部（２０）の外周側面は、前記胴部（３０）から当該脚部（２０）が離間するに応じて前記ハトメ穴（３１１）の外側から内側へ傾斜する傾斜面であり、
前記深さ方向に沿う前記突状部（５０）の長さは、前記深さ方向に沿う前記胴部（３０）の長さよりも長く、
前記深さ方向における前記突状部（５０）の一端及び他端は、前記頭部（４０）及び前記脚部（２０）夫々に位置する、止め具。
【請求項２】
前記貫通口（ＯＰ１０）の内側へ突出する複数の突状部（５０）であって、当該突状部（５０）が前記貫通口（ＯＰ１０）を規定する内側面（１０ａ）に設けられている、複数の突状部（５０）を更に備え、
複数の前記突状部（５０）は、前記貫通口（ＯＰ１０）の周方向に所定角度間隔にて配置されている、請求項１に記載の止め具。
【請求項３】
前記貫通口（ＯＰ１０）を第１貫通口として備える請求項１又は２に記載の止め具（１００）であって、
前記頭部（４０）、前記胴部（３０）及び前記脚部（２０）を前記深さ方向に貫通する第２貫通口（ＯＰ２０）を更に備える、止め具。
【請求項４】
前記脚部（２０）は、前記ハトメ（３１０）に接触する環状面（１５ａ）を有する、請求項１乃至３のいずれか一項に記載の止め具。
【請求項５】
前記頭部（４０）、前記胴部（３０）、及び前記脚部（２０）の各幅に応じて形成された、前記ハトメ（３１０）を受け入れる受入部（１５）を更に備え、
前記受入部（１５）には、前記ハトメ（３１０）の外周形状に応じて窪んだ部分（１６）が設けられている、請求項１乃至４のいずれか一項に記載の止め具。
【請求項６】
物品に対して取付けられるべき前記ハトメ（３１０）と、
請求項１乃至５のいずれか一項に記載の止め具（１００）と、
を備える調整ユニット。
【請求項７】
請求項６に記載の調整ユニット（３５０）を備える物品。
【発明の詳細な説明】
【技術分野】
【０００１】
本発明は、止め具、調整ユニット、物品及び調整ユニットの製造方法に関する。
【背景技術】
【０００２】
従来から様々な目的／態様にて生地に対してハトメが設けられている。例えば、ハトメは、生地に紐を通す等の機能的要請に応じて生地に対して設けられ、また、装飾的な要請に応じて生地に対して設けられる。【０００３】
特許文献１には、同文献の図１及び図３の対比から明らかなように、生地Ｓの貫通孔に筒脚４が挿入された状態の調整止め具６に対して裏止め体７を生地Ｓの背面側から組み合わし、外側へ筒脚４を折り曲げて調整止め具６及び裏止め体７を生地Ｓに対して一体化させることが開示されている。調整止め具６は、通路１が設けられた表主体３を具備する。表主体３は、ゴム等の弾性部材からなる。表主体３の通路１の周りには、制動片２が設けられている（特許文献１の図２も併せて参照のこと）。制動片２によって、紐が保持される。【０００４】
特許文献２には、既存のハトメのハトメ穴を閉塞する閉塞具が開示されている。特許文献２は、同文献の段落０００３において、衣服に単に通気用の穴を設けるだけでは雨天や厳寒の季節には雨や寒気がそこから衣服内に進入するので適当でない、と述べている。特許文献２では、上述の点に照らして、同文献の図１乃至図４に開示の構成の閉塞具３をハトメ１０に対して弾性的に嵌め込み、これにより、ハトメ１０のハトメ穴１５を閉じている。なお、同文献の図２及び図３に示すように、閉塞具３は、頭部２０及び脚部２１を有する。【０００５】
特許文献３には、装飾的要請からハトメＨに対してハトメキャップを取り付けることが開示されている。同文献の図１に示すように、ハトメキャップは、部分１〜３を有し、同図に示すように、ハトメＨに対して取付けられる。同文献の図２に示すように、ハトメキャップの部分３の開口に連結ロープが通され、これにより、パイプＰに対してシートＳが固定される。【０００６】
特許文献４には、同文献の図１０に示すように、鳩目板１の外周に凸凹を設け、これに対して連結紐１０を巻付ける構成が開示されている。
【先行技術文献】
【特許文献】
【０００７】
【特許文献１】特許第２９００１３４号公報
【特許文献２】特開２００６−８１６７８号公報
【特許文献３】特開２００５−２２１０４１号公報
【特許文献４】特開２００８−１２７９７６号公報
【発明の概要】
【発明が解決しようとする課題】
【０００８】
特許文献１に開示の調整用止具は、既存のハトメを利用していなく、それ自体の構成が複雑である。
【課題を解決するための手段】
【０００９】
本発明に係る止め具は、ハトメ穴を有するハトメに対して弾性変形により取付可能である。この止め具は、前記ハトメ穴の開口幅に対応した幅を有し、前記ハトメ穴の深さ方向に延在する胴部と、前記胴部の一端側に設けられ、前記胴部よりも幅が広い部分を含む頭部と、前記胴部の他端側に設けられ、前記胴部よりも幅が広い部分を含む脚部であって、前記ハトメ穴に対して挿入可能である脚部と、前記頭部、前記胴部及び前記脚部を前記深さ方向に貫通する貫通口と、を備える。この止め具を既存のハトメに対して任意の手段により装着することにより、簡易に任意の対象物の調整機能を既存ハトメに付与することができる。例えば、任意の断面形状の紐の調整機能を既存ハトメに付与することができる。なお、止め具の具体的な形状、構成材料、色、その他機能は、任意である。貫通口の上面視形状も任意である。【００１０】
前記貫通口の内側面の内側へ突出する１以上の突状部を備える、と良い。これにより、突状部が紐等の滑り止めとして機能し、紐等の保持力を効果的に高めることができる。【００１１】
前記深さ方向に沿う前記突状部の長さは、前記深さ方向に沿う前記胴部の長さよりも長く、前記深さ方向における前記突状部の一端及び他端は、前記頭部及び前記脚部夫々に位置する、と良い。これにより、紐等の保持力を効果的に高めることができる。【００１２】
前記貫通口の内側へ突出する複数の突状部であって、当該突状部が前記貫通口を規定する内側面に設けられている、複数の突状部を更に備え、複数の前記突状部は、前記貫通口の周方向に所定角度間隔にて配置されている、と良い。これにより、紐等の保持力を効果的に高めることができる。なお、周方向は、任意の貫通口の形状に応じて任意に設定されるべきものである。例示的には、それは、円周方向に限らず、例えば、矩形状の外周を辿る方向であっても良い。【００１３】
前記貫通口を第１貫通口として備える止め具は、前記頭部、前記胴部及び前記脚部を前記深さ方向に貫通する第２貫通口を更に備える、と良い。止め具の多様な使用態様を確保することができる。【００１４】
前記脚部の前記幅は、前記頭部の前記幅よりも狭く、前記脚部の前記幅は、前記胴部から当該脚部が離間するに応じて狭くなる、と良い。ハトメに対する挿入を容易化することができる。【００１５】
前記脚部の外周側面は、前記胴部から当該脚部が離間するに応じて前記ハトメ穴の外側から内側へ傾斜する傾斜面である、と良い。ハトメに対する挿入を容易化することができる。【００１６】
前記頭部、前記胴部、及び前記脚部の各幅に応じて形成された、前記ハトメを受け入れる受入部を更に備え、前記受入部には、前記ハトメの外周形状に応じて窪んだ部分が設けられている、と良い。ハトメと止め具の一体性を高めることができる。【００１７】
本発明に係る調整ユニットは、物品に対して取付けられるべき前記ハトメと、上述のいずれかに記載の止め具と、を備える。本発明に係る物品は、上述の調整ユニットを備える。【００１８】
本発明に係る調整ユニットの製造方法は、（１）生地に設けられたハトメを用意し、（２）前記ハトメのハトメ穴の開口幅よりも幅が広い脚部であって、前記ハトメ穴に対して挿入可能である脚部と、前記開口幅の幅以下の幅を有する胴部と、前記開口幅よりも幅が広い頭部と、前記頭部、前記胴部及び前記脚部を当該部分の配置方向に貫通した貫通口と、を備える止め具を用意し、（３）前記生地に設けられた前記ハトメに対して前記止め具を装着する。
【発明の効果】
【００１９】
本発明によれば、既存のハトメを活用して紐等の調整機能を確保できる。
【図面の簡単な説明】
【００２０】
【図１】本発明の第１実施形態に係るシリコンストッパーの概略的な斜視図である。
【図２】本発明の第１実施形態に係るハトメに対するシリコンストッパーの装着過程を示す模式図である。
【図３】本発明の第１実施形態に係るハトメに対するシリコンストッパーの装着状態を示す概略的な断面図である。
【図４】本発明の第１実施形態に係るシリコンストッパーの概略的な上面図及び断面図である。
【図５】本発明の第１実施形態の変形例に係るシリコンストッパーの概略的な上面図及び断面図である。
【図６】本発明の第１実施形態の変形例に係るシリコンストッパーの概略的な上面図及び断面図である。
【図７】本発明の第１実施形態に係る調整ユニットが設けられた衣服を示す模式図である。
【図８】本発明の第２実施形態に係るシリコンストッパーの概略的な上面図及び側面図である。
【図９】本発明の第２実施形態に係るハトメに対するシリコンストッパーの装着過程を示す模式図である。
【図１０】本発明の第２実施形態に係るハトメに対するシリコンストッパーの装着状態を示す概略的な断面図である。
【図１１】本発明の第２実施形態に係る調整ユニットが設けられた靴を示す模式図である。
【図１２】本発明の第２実施形態の変形例に係るシリコンストッパーの概略的な上面図である。
【図１３】本発明の第２実施形態の変形例に係るシリコンストッパーの概略的な上面図及び側面図である。
【図１４】本発明の第３実施形態に係るシリコンストッパーの概略的な上面図である。
【図１５】本発明の第３実施形態に係るシリコンストッパーの貫通口に紐が挿通された状態を示す概略的な断面図である。
【図１６】本発明の第４実施形態に係るシリコンストッパーの概略的な上面図である。
【図１７】本発明の第４実施形態に係るシリコンストッパーの貫通口に紐が挿通された状態を示す概略的な断面図である。
【図１８】本発明の更なる変形例に係るシリコンストッパーを示す概略的な断面図である。
【発明を実施するための形態】
【００２１】
以下、図面を参照しつつ、本発明の実施形態について説明する。各実施形態は、個々に独立したものではなく、過剰説明をするまでもなく、当業者をすれば、適宜、組み合わせることが可能であり、この組み合わせによる相乗効果も把握可能である。実施形態間の重複説明は、原則的に省略する。
【００２２】
参照図面は、発明説明を主目的とするものであり、適宜、簡略化されている。これらの図においては、適宜、軸ＡＸが設定されている。軸ＡＸは、シリコンストッパーに設けられた貫通口の延在方向、つまり、貫通口の深さ方向に一致するが、これに限られるものではない。軸ＡＸは、シリコンストッパーの開口部に設けられた突状部の延在方向／長手方向にも一致する。軸ＡＸは、ハトメに対するシリコンストッパーの挿入方向にも一致する。軸ＡＸは、ハトメのハトメ穴の深さ方向にも一致する。軸ＡＸの定義は、明細書の開示から理解される範囲内において適宜設定されるものとする。以下の説明では、便宜上、軸ＡＸに沿う方向を単に軸方向と呼ぶ場合がある。同様に、軸ＡＸに対して直交する平面内において、軸ＡＸに対して近接する方向を内側と呼び、軸ＡＸから離間する方向を外側と呼ぶ場合がある。上面視又は下面視という用語は、各々、軸ＡＸに沿って上側又は下側から見る場合を意味する場合がある。
【００２３】
＜第１実施形態＞
図１乃至図７を参照して第１実施形態について説明する。図１は、シリコンストッパーの概略的な斜視図である。図２は、ハトメに対するシリコンストッパーの装着過程を示す模式図である。図３は、ハトメに対するシリコンストッパーの装着状態を示す概略的な断面図である。図４は、シリコンストッパーの概略的な上面図及び断面図である。図５は、変形例に係るシリコンストッパーの概略的な上面図及び断面図である。図６は、変形例に係るシリコンストッパーの概略的な上面図及び断面図である。図７は、調整ユニットが設けられた衣服を示す模式図である。
【００２４】
図１に示すように、シリコンストッパー（止め具）１００は、脚部２０、胴部３０、及び頭部４０が軸方向にこの順に連続した構造物である。脚部２０の最大径は、胴部３０の最大径よりも大きい。頭部４０の最大径は、胴部３０の最大径よりも大きい。軸方向における径の相違に応じて、頭部４０と脚部２０との間には、凹状の受入部１５が設けられる。受入部１５は、ハトメの環状部を受け入れる部分である。脚部２０の外径は、下方に向かって狭くなる。脚部２０の外周面２２は、傾斜面である。ハトメに対するシリコンストッパー１００の挿入は、脚部２０の傾斜面によりガイドされる。
【００２５】
シリコンストッパー１００には、貫通口ＯＰ１０が設けられた開口部１０が設けられている。貫通口ＯＰ１０は、開口部１０の内側面１０ａにより規定される。貫通口ＯＰ１０は、軸ＡＸに沿って延び、当該シリコンストッパー１００、すなわち、頭部４０、胴部３０、及び脚部２０（換言すれば、頭部４０、胴部３０、及び脚部２０の連続部分）を貫通する。なお、貫通口ＯＰ１０自体は、空洞部分であるため、貫通口ＯＰ１０が設けられた部分を開口部１０と命名している。必ずしも必須の構成要素ではないが、開口部１０の内側面１０ａには、貫通口ＯＰ１０の半径方向内側へ突出した突状部５０が設けられている。これにより、突状部５０が抵抗要素として機能し、より十分に紐を保持／固定することが可能となる。なお、突状部５０は、あくまで付加的／選択的／任意なものであり、貫通口ＯＰ１０の内径を調整することにより、紐の保持／固定を図っても良い。なお、紐の材質は任意であり、例えば、紐は、伸縮可能な素材（ゴム糸等）から構成される。
【００２６】
シリコンストッパー１００は、例えば、シリコーン（シリコン樹脂）の金型成型により製造されるが、その製造方法は任意であり、これに限られるべきものではない。シリコンストッパー１００の色は、樹脂材料に顔料を含有させる等の任意の方法により調整可能である。シリコンストッパー１００の色を調整することにより、衣服、靴、鞄等の物品に対して意匠的効果を付与することもできる。樹脂材料に蛍光材料を含有させても良い。
【００２７】
シリコンストッパー１００は、例えば、図２に示すようにハトメ３１０に対して装着される。図２に示すように、生地（シート）３００に取り付けられたハトメ３１０のハトメ穴３１１には紐２００が予め通してある。この状態で、シリコンストッパー１００の貫通口ＯＰ１０に紐２００の一端を通し、シリコンストッパー１００を紐２００伝いにハトメ３１０側へ移動させる。シリコンストッパー１００の脚部２０がハトメ３１０と接触した後、シリコンストッパー１００はハトメ３１０側へ更に押し込まれる。この更なる押し込みによって、シリコンストッパー１００の脚部２０は弾性的に変形する。この脚部２０の弾性変形により、脚部２０がハトメ３１０のハトメ穴３１１を通過し、ハトメ３１０の環状部分がシリコンストッパー１００の受入部１５により受け入れられる（図３参照）。ハトメ３１０に対するシリコンストッパー１００の装着は、機械により自動的に行われても、ヒトによる手作業により行われても良い。なお、任意の手段により、ハトメ３１０に装着させたシリコンストッパー１００をハトメ３１０から離脱させることもできる。
【００２８】
なお、図３に示すとき、生地３００上には、シリコンストッパー１００の頭部４０が位置し、生地３００下には、シリコンストッパー１００の脚部２０が位置する。シリコンストッパー１００の胴部３０は、生地３００と同一平面内に位置する。なお、このようにハトメ３１０とシリコンストッパー１００とを一体化することにより、図３に示す調整ユニット３５０が構成される。
【００２９】
図４の上部分に示すように、シリコンストッパー１００の開口部１０の内側面１０ａには、貫通口ＯＰ１０の半径方向内側へ突出する４つの突状部５０が対称配置されている。なお、突状部５０の数は、任意であり、４つの限られるべきものではない。半径方向における各突状部５０の長さは、略等しいが、互いに長さを異ならせても良い。突状部５０ａ〜５０ｄは、略円形の貫通口ＯＰ１０の周りに９０度間隔にて設けられている。突状部５０ａと突状部５０ｃが対向配置されており、突状部５０ｂと突状部５０ｄが対向配置されている。
【００３０】
図４の上部分のＸ４−Ｘ４間の二点鎖線に垂直に交差する断面を図４の下部分に示す。一部繰り返しとなるが、図４の下部分に示すように、頭部４０の最大横幅Ｗ４０＞脚部２０の最大横幅Ｗ２０ａ＞胴部３０の横幅Ｗ３０の関係が成立する。胴部３０の横幅Ｗ３０は、ハトメ３１０のハトメ穴３１１の開口幅以下であり、この点は、脚部２０の最小横幅Ｗ２０ｂについても同様である。従って、胴部３０の横幅Ｗ３０と脚部２０の最小横幅Ｗ２０ｂとは、略同じ幅となっている。胴部３０の横幅Ｗ３０をハトメ３１０のハトメ穴３１１の開口幅以上とし、ハトメ３１０によりシリコンストッパー１００の胴部３０が圧迫されるようにしても良い。
【００３１】
図４の下部分に示すように、突状部５０ｂ、５０ｄが対向配置されていることにより、貫通口ＯＰ１０の開口幅は、幅Ｗ１１から幅Ｗ１２へと狭められている。これにより、両方向から紐を十分に圧迫することができ、ストッパーとしての紐の保持／固定性能を高めることができる。突状部５０ｂは、貫通口ＯＰ１０の深さ方向に、頭部４０から脚部２０まで連続的に延在する。換言すれば、突状部５０ｂは、胴部３０を完全に跨ぐ態様にて深さ方向に延在する。突状部５０ｂについてした説明は、他の突状部についても同様に当てはまる。このように突状部５０の長さを十分とすることにより、シリコンストッパー１００に十分な紐保持力を付与することができる。なお、突状部５０の長さＨ５０＞頭部４０の縦幅（高さ幅）Ｈ４０＞脚部２０の縦幅（高さ幅）Ｈ２０＞胴部３０の縦幅（高さ幅）Ｈ３０の関係が成立する。
【００３２】
なお、図４の下部分に示すように、突状部５０ｂの上端は、頭部４０に位置し、その下端は、脚部２０に位置する。突状部５０ｂの上端は、受入部１５の上端位置（面１５ｃの底の高さ位置）よりも上方にあり、突状部５０ｂの下端は、受入部１５の下端位置（面１５ａの高さ位置）よりも下方にある。ハトメに対してシリコンストッパー１００を装着したとき、突状部５０ｂの上端は、ハトメ／生地の上にあり、突状部５０ｂの下端は、ハトメ／生地の下にある。突状部５０ｂについてした説明は、他の突状部についても同様に当てはまる。
【００３３】
図４の下部分に示すように、頭部４０の下環状面１５ｃには、半球状の凹部１６が環状に設けられている。これにより、ハトメの環状部に対して受入部１５が合致することになり、ハトメとシリコンストッパー１００の一体性を好適に確保することができる。このように両者の一体性を確保することにより、ハトメからのシリコンストッパー１００の離脱を効果的に抑制することができる。なお、受入部１５は、面１５ａ〜１５ｃにより規定される。面１５ａは、脚部２０の上環状面である。面１５ｂは、胴部３０の外周面である。面１５ｃは、頭部４０の下環状面であり、半球状の曲面である。
【００３４】
繰り返しとなるが、シリコンストッパー１００は、例えば、図２に示す過程を経て、生地３００上のハトメ３１０に対して装着される（図３参照）。これにより、既存ハトメを活用しつつ、紐に例示される任意の調整対象物の調整機能を既存ハトメに付与することができる。シリコンストッパー１００はハトメ３１０に一体的に設けられている。従って、ハトメ３１０に対して一体化されない別体のストッパーを設ける場合と比較して、それらが一体化された分だけ、ハトメとストッパーの各機能を発揮する機能部分の小型化／軽量化を図ることができる。この点は、物品の軽量化が求められている用途においては特に有益である。なお、ハトメは、様々な物品（代表的には、衣服、靴、鞄、シート類等）に汎用されるため、このシリコンストッパーの応用範囲も広範囲に確保することができる。
【００３５】
シリコンストッパー１００は、弾性を有し、ハトメ３１０に対して弾性変形により取付可能／着脱可能である。従って、仮にシリコンストッパーが経時的要因（例えば、エネルギー線の照射、機械的な衝突等）から劣化したとしても、劣化シリコンストッパーを新しいものに代替することができる。製造過程／輸送過程中にシリコンストッパーが破損／劣化／紛失等した場合にも同様のことが言える。
【００３６】
シリコンストッパーの外観を工夫することにより、シリコンストッパーが取り付けられる物品に対して意匠的効果を付与することもできる。特に、シリコンストッパーを金型成型する場合、その外観形状を任意／簡易に調整することができる。シリコンストッパーを樹脂製とすれば、その色を簡易に調整することもできる。利用者の好みに応じた形状及び色のシリコンストッパー１００を取り付けることもできる。シリコンストッパーという機能品を意匠的要素として活用することにより、物品の意匠性を高めることができる。
【００３７】
本実施形態の変形例を図５に示す。図５に示す場合、貫通口ＯＰ１０の周方向に互いに離間した複数の突状部５０を設けるのではなく（図４参照）、軸方向において貫通口ＯＰ１０の径を変化させている。このような場合であっても上述の場合と同様、開口部１０には、周方向に連続した突状部５０が設けられ、これにより、紐の保持力が十分に確保される。なお、突状部５０は、開口部１０の内側面１０ａに設けられ、また貫通口ＯＰ１０の径が狭まる部分に対応して設けられる。図５の上部分のＸ５−Ｘ５間の二点鎖線に垂直に交差する断面を図５の下部分に示す。図５の下部分に示すように、貫通口ＯＰ１０の径は、上方から下方へ、径Ｗ１１、径Ｗ１２、径Ｗ１１と段階的に変化する。なお、貫通口ＯＰ１０の径を軸方向に連続変化させて、任意の態様にて開口部１０の内側面１０ａを軸方向に傾斜させても良い。
【００３８】
本実施形態の更なる変形例を図６に示す。図６に示す場合、図４と比較して、突状部５０の個数及びその上面視形状が異なる。このような場合であっても上述の場合と同様の効果を得ることができる。図６の上部分に示すように、突状部５０ａ〜５０ｃは、周方向に１２０度間隔で配置されている。突状部５０同士が非対向となる態様において突状部５０らを配置することにより、紐の挿通の容易性を確保することができる。突状部５０ａの上面視形状は、リッジ状である。これにより、突状部５０ａのリッジ頂部と紐との間の接触を十分に確保することができる。この点は、他の突状部についても同様である。図６の上部分のＸ６−Ｘ６間の二点鎖線に垂直に交差する断面を図６の下部分に示す。図６の下部分に示すように、突状部５０ｂの対向側には、他の突状部が配置されていない。
【００３９】
本実施形態に係る調整ユニット３５０が設けられる物品の種類は任意であるが、例えば、図７に示す衣服４００に設けられている。衣服４００を着たヒトは、紐を手前に引っ張ることにより、衣服４００のウエスト周囲長を短くすることができる。シリコンストッパー１００の大きさ、形状、色等により、衣服４００には、機能性と共に意匠的効果が付与される。なお、調整ユニット３５０が取り付けられる物品は、衣服に限らず、靴、鞄、各種シート、等の他の物品であっても良い。
【００４０】
＜第２実施形態＞
図８乃至図１３を参照して第２実施形態について説明する。図８は、シリコンストッパーの概略的な上面図及び側面図である。図９は、ハトメに対するシリコンストッパーの装着過程を示す模式図である。図１０は、ハトメに対するシリコンストッパーの装着状態を示す概略的な断面図である。図１１は、調整ユニットが設けられた靴を示す模式図である。図１２は、変形例に係るシリコンストッパーの概略的な上面図である。図１３は、変形例に係るシリコンストッパーの概略的な上面図及び側面図である。
【００４１】
本実施形態においては、第１実施形態よりも薄厚のシリコンストッパー１００を用いる。このような場合であっても第１実施形態と同様の効果を得ることができる。また、第１実施形態よりも、ハトメとストッパーとが組み合わされた止め具の小型化／軽量化を十分に図ることができる。図８に示すように、図４乃至図６と比較してシリコンストッパー１００は薄厚である。図９に模式的に示すように、第１実施形態と同様にして、ハトメ３１０に対してシリコンストッパー１００が装着される。図１０に模式的に示すように、ハトメ３１０に装着されたシリコンストッパー１００には紐２００が通される。シリコンストッパー１００が薄く構成されていることにより、図１０に示すようにＵ字状に紐２００を折り返す場合であっても、シリコンストッパー１００が障害とはならない。
【００４２】
図１０に示すように、シリコンストッパー１００の厚みＴ１００は、ハトメ３１０の厚みＴ３１０の２倍以下であることが好ましい。
【００４３】
図１０に示す調整ユニット３５０は、例えば、図１１に示す靴５００に設けられる。図１１に示すように、靴の生地に設けられたハトメ３１０に対してシリコンストッパー１００を装着し、調整ユニット３５０の列を準備する。次に、調整ユニット３５０の貫通口ＯＰ１０に紐２００を順次通す。なお、全てのハトメ３１０に対してシリコンストッパー１００を装着する必要はなく、その一部に対してシリコンストッパー１００を装着しても良い。
【００４４】
図１２に本実施形態の変形例に係るシリコンストッパー１００示す。図１２に示すように、突状部５０の上面視形状を半球状としても良い。このような場合であっても、上述の説明と同様の効果を得ることができる。なお、図１２に示すように、突状部５０を半球状とすることにより、紐（不図示）と突状部５０の接触面積を十分に確保することができる。
【００４５】
図１３に本実施形態の変形例に係るシリコンストッパー１００示す。図１３の上部分に示すように、貫通口ＯＰ１０の上面視形状は星形となっている。このような場合であっても、上述の説明と同様の効果を得ることができる。図１３の上部分に示すように、貫通口ＯＰ１０の上面視形状を星形とすることにより、その意匠的効果を高めることができる。貫通口ＯＰ１０の上面視星形状に応じて、上面視二等辺三角形状の突状部５０が周方向に連続的に配置される。図１３の下部分に示すように、図１３の頭部４０と胴部３０との間には、鍔部４５が設けられる。これにより、図１３の上部分に示す上面視外観を得ることができる。
【００４６】
＜第３実施形態＞
図１４及び図１５を参照して第３実施形態について説明する。図１４は、シリコンストッパーの概略的な上面図である。図１５は、シリコンストッパーの貫通口に紐が挿通された状態を示す概略的な断面図である。
【００４７】
本実施形態においては、図１４に示すように、平板状の紐２００を好適に保持可能なように、貫通口ＯＰ１０の形状、つまり突状部５０の上面視形状を設定している。このような場合であっても、上述の実施形態と同様の効果を得ることができる。図１４に示すように、突状部５０ａと突状部５０ｂは対向配置されており、各々の頂部が紐２００の上面及び下面に対して当接する。これにより、紐２００は、突状部５０ａと突状部５０ｂとの間で好適に挟持される。図１５は、図１４のＸ１５−Ｘ１５間の二点鎖線に垂直に交差する断面を示す。図１５に示すように、紐２００は、シリコンストッパー１００の貫通口ＯＰ１０内を延在するに応じて左右方向へ多少揺れている。貫通口ＯＰ１０に対する紐２００の簡易な挿通性を確保する上で、貫通口ＯＰ１０の最大開口径を、紐２００の最大幅以上とすることが好ましい。
【００４８】
＜第４実施形態＞
図１６及び図１７を参照して第４実施形態について説明する。図１６は、シリコンストッパーの概略的な上面図である。図１７は、シリコンストッパーの貫通口に紐が挿通された状態を示す概略的な断面図である。
【００４９】
本実施形態においては、図１６に示すように、一つのシリコンストッパー本体に２つの貫通口ＯＰ１０、ＯＰ２０を設ける。このような場合であっても、上述の実施形態と同様の効果を得ることができる。シリコンストッパーが複数の貫通口を具備することにより、シリコンストッパーの利用態様の幅を拡大することができる。図１６に示すように、シリコンストッパー１００は、隣り合って配置された貫通口ＯＰ１０と貫通口ＯＰ２０を具備する。図１７に示すように、シリコンストッパー１００は、二つの異なる紐２００ａ、２００ｂ又は、一つの紐の異なる部分２００ａ、２００ｂを保持可能である。
【００５０】
上述の教示を踏まえると、当業者をすれば、各実施形態に対して様々な変更を加えることができる。シリコンストッパーの具体的な形状、ハトメに対する装着方法、ハトメの構造、ハトメが設けられている生地の種類等は任意である。シリコンストッパーの材質は、シリコーン樹脂に限らず、他の材料（例えば、ウレタン樹脂）であっても良い。この意味において、シリコンストッパーは、止め具の一態様でしかない。ハトメ穴／貫通口の輪郭は、円形状に限らず、他の任意の形状（例えば、多角形状、星状等）であっても良い。周方向は、円周方向を意味する場合の他、任意のハトメ穴／貫通口の形状に応じて任意に設定されるべきものである（例示すれば、周方向は、四角形のハトメ穴の外周を辿る方向でも良い）。脚部は、必ずしも頭部よりも幅狭である必要はない。突状部は、軸方向／周方向に連続している必要はなく、分断されていても良い。上述のように貫通口の上面視形状は任意である。貫通口の開口幅と紐の径との関係を適当に設定することにより、開口部の内側面と紐の外周面とを摩擦係合させ、これにより、紐を保持しても良い。この場合、図１８に示すように、貫通口ＯＰ１０の径は、その深さ方向（軸方向）において一定となる。請求の範囲に盛り込まれた符号は、参考のためであり、請求の範囲を限定解釈する目的で参照されるべきものではない。
【符号の説明】
【００５１】
１００    ：シリコンストッパー
１０      ：開口部
１０ａ    ：内側面
１５      ：受入部
１６      ：凹部
２０      ：脚部
２２      ：外周面
３０      ：胴部
４０      ：頭部
４５      ：鍔部
５０      ：突状部
２００    ：紐
３００    ：生地
３１０    ：ハトメ
３１１    ：ハトメ穴
３５０    ：調整ユニット
ＯＰ１０  ：貫通口
ＯＰ２０  ：貫通口
【図１】
0006031449.tif 000002
【図２】
0006031449.tif 000003
【図３】
0006031449.tif 000004
【図４】
0006031449.tif 000005
【図５】
0006031449.tif 000006
【図６】
0006031449.tif 000007
【図７】
0006031449.tif 000008
【図８】
0006031449.tif 000009
【図９】
0006031449.tif 000010
【図１０】
0006031449.tif 000011
【図１１】
0006031449.tif 000012
【図１２】
0006031449.tif 000013
【図１３】
0006031449.tif 000014
【図１４】
0006031449.tif 000015
【図１５】
0006031449.tif 000016
【図１６】
0006031449.tif 000017
【図１７】
0006031449.tif 000018
【図１８】
0006031449.tif 000019